(57)【特許請求の範囲】
【請求項１】
1つ以上の収納物を収納し、底板（１）、側板（２）、後面板（３）、前面板（４）を有した本体からなる紙製容器であって、該前面板（４）の上辺には、引掛タブ（４２）が設けられ、下辺には第一可動底板（６）、第二可動底板（７）、引掛孔（８ａ）と引上げつまみ（８１）が設けられた引上げ板（８）が順次連接し、該第一可動底板（６）、第二可動底板（７）は折り畳まれており、前記引上げつまみ（８１）によって引上げ板（８）を引き上げることにより、第二可動底板（７）、第一可動底板（６）が連動して引き上げられ、前記引掛タブ（４２）に前記引掛孔（８ａ）を引っ掛けることにより、引上げ板（８）が定位置で固定され、収納物を前記第二可動底板（７）により保持できるようにしたことを特徴とする紙製容器。
【請求項２】
1つ以上の収納物を収納し、底板（１）、側板（２）、後面板（３）、前面板（４）を有した本体からなる紙製容器であって、該前面板（４）の上辺には、引掛タブ（４２）が設けられ、下辺には第一可動底板（６）、第二可動底板（７）、引掛孔（８ａ）と引上げつまみ（８１）が設けられた引上げ板（８）が順次連接し、該第二可動底板（７）には、コの字状の切れ目線（７ａ）によって切り出された収納物保持板（７ｃ）を設け、前記第一可動底板（６）、第二可動底板（７）は折り畳まれており、前記引上げつまみ（８１）によって引上げ板（８）を引き上げることにより、第二可動底板（７）、第一可動底板（６）が連動して引き上げられ、前記引掛タブ（４２）に前記引掛孔（８ａ）を引っ掛けることにより、引上げ板（８）が定位置で固定され、収納物を前記収納物保持板（７ｃ）により保持できるようにしたことを特徴とする紙製容器。
【請求項３】
1つ以上の収納物を収納し、底板（１）、側板（２）、後面板（３）、前面板（４）を有した本体からなる紙製容器であって、該前面板（４）の上辺には、引掛タブ（４２）が設けられ、下辺には第一可動底板（６）、第二可動底板（７）、引掛孔（８ａ）と引上げつまみ（８１）が設けられた引上げ板（８）が順次連接し、該第二可動底板（７）には、コの字状の切れ目線（７ａ）によって切り出された収納物保持板（７ｃ）と、該収納物保持板（７ｃ）以外の領域の中央部に設けられた折り線（７ｂ）とを設け、折り線（６７）と折り線（７ｂ）に挟まれた部分（７ｄ）を糊代として、前記第一可動底板（６）と第二可動底板（７）が部分的に接着されており、前記第一可動底板（６）、第二可動底板（７）は折り畳まれており、前記引上げつまみ（８１）によって引上げ板（８）を引き上げることにより、第二可動底板（７）、第一可動底板（６）が連動して引き上げられ、前記引掛タブ（４２）に前記引掛孔（８ａ）を引っ掛けることにより、前記引上げ板（８）が定位置で固定され、収納物を前記収納物保持板（７ｃ）により水平に保持できるようにしたことを特徴とする紙製容器。
【請求項４】
第二可動板（７）に設けられたコの字状の切れ目線（７ａ）が、折り線（６７）から折り線（７８）まで達するものであり、折り線（６７）の中央部が切れ目線（７ａ）によって切断されていることを特徴とする請求項２又は３に記載の紙製容器。
【請求項５】
側板（２）の奥行き長さ（Ｌ１）と、収納物保持板（７ｃ）の長さ（Ｌ２）が、（Ｌ１）＜（Ｌ２）であることを特徴とする請求項２、３又は４に記載の紙製容器。
【発明の詳細な説明】
【技術分野】
【０００１】
本発明は、紙製容器に関し、特に菓子類の紙箱などで、比較的小さい収納物を取り出しやすくするために、収納物が上にせり上がる構造とした紙製容器に関する。
【背景技術】
【０００２】
従来、収納物を取り出しやすくするために、構造を工夫した紙製容器が公知となっている。特許文献１に開示されたパッケージは、外箱と内箱からなるパッケージであって、内箱上面に擡げ帯（もたげおび）を設け、この擡げ帯の先端を外箱下面に接着しておくことにより、内箱を引き出した際に、内箱に収納された収納物が擡げ帯によって持ち上げられてせり上がるパッケージである。この発明によれば、内箱を引き出した際に、収納物が自動的にせり上がるので、取り出し易いという利点があるが、構造的に、平坦な形状の比較的大きい収納物が１個の場合には、有効であるが、本発明の目的とするような、複数の比較的小さい収納物を取り出しやすくするためには、不向きであり、また擡げ帯を外箱に接着する必要があるため、製造に手間がかかり、量産には向かないという問題があった。
【０００３】
また、特許文献２に開示されたスライド箱は、スリーブの内側に身箱を抜差自在に挿入したスライド箱であって、身箱に接続した引紐を、スリーブに設けた貫孔を経由して引くことにより、身箱を繰り出すスライド箱である。引紐を引くという簡単な操作で身箱がスライドするので、中身を取り出しやすいという利点はあるが、中身が身箱からせり上がることはなく、本発明の目的には不向きであり、構造が複雑で製造に手間がかかる点も特許文献１と同様である。
【特許文献１】実開平４−２９９１５号公報
【特許文献２】特開２００１−１５８４２１号公報
【発明の開示】
【発明が解決しようとする課題】
【０００４】
本発明の解決しようとする課題は、菓子のように比較的小さな収納物が収納される紙製容器において、簡単な操作で収納物がせり上がり、取り出しやすくなるようにした単純な構造の紙製容器を安価に提供することである。
【課題を解決するための手段】
【０００５】
上記の課題を解決するための手段として、請求項１に記載の発明は、1つ以上の収納物を収納し、底板１、側板２、後面板３、前面板４を有した本体からなる紙製容器であって、該前面板４の上辺には、引掛タブ４２が設けられ、下辺には第一可動底板６、第二可動底板７、引掛孔８ａと引上げつまみ８１が設けられた引上げ板８が順次連接し、該第一可動底板６、第二可動底板７は折り畳まれており、前記引上げつまみ８１によって引上げ板８を引き上げることにより、第二可動底板７、第一可動底板６が連動して引き上げられ、前記引掛タブ４２に前記引掛孔８ａを引っ掛けることにより、引上げ板８が定位置で固定され、収納物を前記第二可動底板７により保持できるようにしたことを特徴とする紙製容器である。
【０００６】
また請求項２に記載の発明は、1つ以上の収納物を収納し、底板１、側板２、後面板３、前面板４を有した本体からなる紙製容器であって、該前面板４の上辺には、引掛タブ４２が設けられ、下辺には第一可動底板６、第二可動底板７、引掛孔８ａと引上げつまみ８１が設けられた引上げ板８が順次連接し、該第二可動底板７には、コの字状の切れ目線７ａによって切り出された収納物保持板７ｃを設け、前記第一可動底板６、第二可動底板７は折り畳まれており、前記引上げつまみ８１によって引上げ板８を引き上げることにより、第二可動底板７、第一可動底板６が連動して引き上げられ、前記引掛タブ４２に前記引掛孔８ａを引っ掛けることにより、引上げ板８が定位置で固定され、収納物を前記収納物保持板７ｃにより保持できるようにしたことを特徴とする紙製容器である。
【０００７】
また請求項３に記載の発明は、1つ以上の収納物を収納し、底板１、側板２、後面板３、前面板４を有した本体からなる紙製容器であって、該前面板４の上辺には、引掛タブ４２が設けられ、下辺には第一可動底板６、第二可動底板７、引掛孔８ａと引上げつまみ８１が設けられた引上げ板８が順次連接し、該第二可動底板７には、コの字状の切れ目線７ａによって切り出された収納物保持板７ｃと、該収納物保持板７ｃ以外の領域の中央部に設けられた折り線７ｂとを設け、折り線６７と折り線７ｂに挟まれた部分７ｄを糊代として、前記第一可動底板６と第二可動底板７が部分的に接着されており、前記第一可動底板６、第二可動底板７は折り畳まれており、前記引上げつまみ８１によって引上げ板８を引き上げることにより、第二可動底板７、第一可動底板６が連動して引き上げられ、前記引掛タブ４２に前記引掛孔８ａを引っ掛けることにより、前記引上げ板８が定位置で固定され、収納物を前記収納物保持板７ｃにより水平に保持できるようにしたことを特徴とする紙製容器である。
【０００８】
また請求項４に記載の発明は、第二可動板７に設けられたコの字状の切れ目線７ａが、折り線６７から折り線７８まで達するものであり、折り線６７の中央部が切れ目線７ａによって切断されていることを特徴とする請求項２又は３に記載の紙製容器である。
【０００９】
また請求項５に記載の発明は、側板２の奥行き長さＬ１と、収納物保持板７ｃの長さＬ２が、Ｌ１＜Ｌ２であることを特徴とする請求項２、３又は４に記載の紙製容器である。
【発明の効果】
【００１０】
本発明による底上げ機能付紙製容器においては、前面板４に連接して第一可動底板６、第二可動底板７、引上げ板８を一繋がりに設けたため、引上げ板８を引上げつまみ８１を持って持ち上げるという簡単な操作によって、第二可動底板７が上昇し、収納物を本体からせり上げることができる。また、引上げ板８に引掛孔８ａを設け、前面板４の上部に設けた引掛タブ４２が引っ掛かるようにしたので、収納物を持ち上げた状態で固定することができ、収納物を取り出すたびに引上げ板を持ち上げなくて済むという効果が生じる。
【００１１】
収納物が複数の薄板状の物品であって、前面板４に平行に立てた状態で収納してある場合には、引上げつまみ８２を持って引上げ板８を持ち上げた時に、第二可動底板７が斜めに上昇するのに伴い、収納物が階段状にせり上がるため、収納物を取り出しやすいばかりでなく、外観的にもおもしろく、ディスプレイ効果が期待できる。また、収納物保持板７ｃを設けた場合には、特に板状の収納物が複数並んで収納されるような場合に、収納物が第二可動底板７と後面板３との隙間から落下するのを防止することができる。
【００１２】
請求項３に示したように、第二可動底板７に、収納物保持板７ｃを設けると伴に、それ以外の領域の中央に折り線７ｂを設け、さらに折り線６７と折り線７ｂとに挟まれた部分７ｄを糊代として、第一可動底板６と第二可動底板７とを部分的に接着することにより、引上げ板が上昇した時、収納物保持板７ｃが水平に上昇するため、収納物が複数の板状物品であっても、すべての収納物が一斉に上昇するので、さらに取り出しやすくなり、また予想外の動きを伴うため、容器としてのおもしろさが倍加する。
【００１３】
また、第二可動板７に設けられた収納物保持板７ｃの長さＬ２は任意であり、コの字状の切れ目線７ａの形状によって決まるが、折り線６７から折り線７８まで達するものとした場合には、最も長くなり、薄い板状の収納物の場合には落下防止効果を発揮する。
【００１４】
またさらに、側板２の奥行き長さＬ１すなわち紙製容器の底面の奥行き長さとの関係において、Ｌ１＜Ｌ２とした場合には、収納物保持板７ｃの先端が後面板３に接触するので、摩擦による収納物保持効果が生じる。
【００１５】
さらに本発明による底上げ機能付紙製容器は、構造が単純であり一枚の紙製ブランクから組み立てることができるという効果がある。
【発明を実施するための最良の形態】
【００１６】
図１は、本発明による底上げ機能付紙製容器の紙製ブランク展開図の一例である。図中の実線は切れ目線を、一点鎖線は、折り線を意味している。図に示したように底板１、側板２（２枚）、後面板３、前面板４を有した本体からなり、これらに付随する糊代４１、接着片２１（２枚）、前面板４の上辺に設けた引掛タブ４２を備えている。さらに後面板３に連設した天板５および天板用舌片５１と、前面板４の下辺に連接した第一可動底板６、第二可動底板７、引上げ板８と、これらに付随して設けた引上げつまみ８１、引掛孔８ａを有し、さらに第二可動底板７の中央部に、コの字状の切れ目線７ａによって設けられ、引上げ板８とは連結されているが、第一可動底板６および第二可動底板７とは分離された、収納物保持板７ｃとから成っている。図では、第二可動底板７の収納物保持板７ｃ以外の部分の中央部に折り線７ｂが設けられている。
【００１７】
本発明による底上げ機能付紙製容器の成形は、次のようにして行われる。
図１において、まず第二可動底板７の折り線６７と折り線７ｂによって挟まれた部分７ｄに接着剤を塗布して、折り線６７を折り、第一可動底板６と第二可動底板７とを圧着して７ｄの部分を接着させると伴に、第二可動底板７と引上げ板８とを容器の内側方向に１８０度折り曲げる。次に折り線２３、２４を同様に１８０度折り曲げ、糊代４１に接着剤を塗布して糊代４１が箱の内側になるように胴貼りし、折り畳みブランクとする。この段階では、第一可動底板６が第二可動底板７と、また引上げ板８が前面板４とそれぞれ腹合わせに密着した状態になっている。次に収納物を収納する際は、前記折り畳みブランクを起こして角柱状の本体を形成した後、折り線４６と折り線７８を同時に９０度折って第一可動底板６と第二可動底板７を容器の内部に折り込んだ後、接着片２１と底板１を折り曲げて接着し、底部を成形すると紙製容器が完成する。
【００１８】
図２は、本発明による底上げ機能付紙製容器を成形したものを側面から見た模式図である。底板１、側板２、後面板３、前面板４、及び前面板４に設けられた引掛タブ４２が示されている。また後面板３に連設した天板５及び天板用舌片５１、さらに前面板４に連設した第一可動底板６、第二可動底板７、引上げ板８、引上げつまみ８２が示されている。
【００１９】
図３は、本発明による底上げ機能付紙製容器に収納物９を収納した状態の斜視図である。収納物は、この例では一辺が３０ｍｍで厚さが４ｍｍの正方台形形状のチョコレートを用いた。
【００２０】
図４は、本発明における、底上げ機能について説明した側面模式図である。引上げつまみ８２を持って、引上げ板８を上方に持ち上げると、引上げ板８に連設された第二可動底板７とさらにこれに連設された第一可動底板６が底板１から離れて、上昇する。この時、収納物保持板７ｃが設けられている場合には、図のように後面板３に接しながら上昇するので、第二可動板７と後面板３との間に生ずる隙間に、収納物が落下するのを防止することができる。収納物がこの隙間から落ちないような形状のものであれば、この収納物落下防止板７１は、特に設けなくてもよい。引上げつまみ８２によって、引上げ板８を持ち上げた時、前面板４の上部に設けた引掛タブ４２を引掛孔８ａに引っ掛けると、手を離しても引上げ板８が落ちることがない。
【００２１】
図５は、本発明による底上げ機能付紙製容器の底上げ機能を示した斜視図である。引上げつまみ８１を持って引上げ板８を持ち上げ、引掛タブ４２を引掛孔８ａに引っ掛けて固定すると、図に示したように、収納物のチョコレートが階段状にせり上がった状態となり、容器から取り出しやすくなる一方、外観的にもおもしろく、ディスプレイ効果を有するものである。
【００２２】
図６は、請求項３に示された発明による底上げ機能付紙製容器の底上げ機能を示した側面模式図である。第二可動底板７に収納物保持板７ｃが設けられており、さらにそれ以外の部分の中央部に折り線７ｂを設け、７ｄ部分を糊代として第一可動底板６と第二可動底板７を部分的に接着したので、引上げ板８が上昇した場合、第二可動底板７は、折り線７ｂで折れ曲がり、図のように一種のリンク機構を形成する。収納物保持板７ｃは、図のように水平に上昇する。
【００２３】
図７は、請求項３に示された発明による底上げ機能付紙製容器の底上げ機能を示した斜視図である。引上げつまみを持って引上げ板８を上昇させると、収納物であるチョコレートは、一斉に上昇し、図のように容器本体からせり上がる。この動きは、予想に反するものであり、初めて使用する人にとっては、非常に興味深い印象を与えるものである。またこの時、前板４に付属した引掛タブ４２に引上げ板８に設けた引掛孔８ａを引っ掛けると、図のように収納物が上昇したままの状態となるので、ディスプレイ効果も期待できるものである。
【図面の簡単な説明】
【００２４】
【図１】本発明による底上げ機能付紙製容器の紙製ブランク展開図の一例
【図２】本発明による底上げ機能付紙製容器の側面模式図
【図３】本発明による底上げ機能付紙製容器に収納物を収納した斜視図
【図４】請求項２の発明による底上げ機能付紙製容器の底上げ機能を説明する側面模式図
【図５】請求項２の発明による底上げ機能付紙製容器の底上げ機能を示す斜視図
【図６】請求項３の発明による底上げ機能付紙製容器の底上げ機能を説明する側面模式図
【図７】請求項３の発明による底上げ機能付紙製容器の底上げ機能を示す斜視図
【符号の説明】
【００２５】
１・・・底板
２・・・側板
２１・・接着片
２２・・側板用舌片
２３、２４、４６、６７、７８・・・折り線
３・・・後面板
４・・・前面板
４１・・糊代
４２・・引掛タブ
５・・・天板
５１・・天板用舌片
６・・・第一可動底板
７・・・第二可動底板
７ａ・・コの字状の切れ目線
７ｂ・・折り線
７ｃ・・収納物保持板
７ｄ・・折り線６７と折り線７ｂに挟まれた部分
８・・・引上げ板
８１・・引上げつまみ
８ａ・・引掛孔
Ｌ１・・側板の奥行き長さ
Ｌ２・・収納物保持板の長さ
９・・・収納物
【図１】
0005151428.tif 000002
【図２】
0005151428.tif 000003
【図３】
0005151428.tif 000004
【図４】
0005151428.tif 000005
【図５】
0005151428.tif 000006
【図６】
0005151428.tif 000007
【図７】
0005151428.tif 000008